(57)【要約】【課題】分散補償器の特性を適切に設定することによって伝送エラーを低減すること。【解決手段】この光データリンク１は、レーザダイオード１２と、レーザダイオードドライバ回路１１と、光受信回路５と、電気的分散補償器（EDC）６と、第１のＰＲＢＳを生成するパターン１発生器８と、第２のＰＲＢＳを生成するパターン２発生器９と、セレクタ１０と、制御回路４と、EDC６の出力から第１のＰＲＢＳを検出するパターン１検出器７とを備え、制御回路４は、第１のＰＲＢＳがレーザダイオードドライバ回路１１に入力されるようにセレクタ１０を切り替えた状態で、EDC６におけるTap係数を調整し、当該調整完了後に第２のＰＲＢＳがレーザダイオードドライバ回路１１に入力されるようにセレクタ１０を切り替え、パターン１検出器７の検出結果によって対向側のTap係数の調整完了を検出する。【選択図】図１
2008294752.tif 000002
【特許請求の範囲】
【請求項１】
光信号を生成するレーザダイオードと、
入力データ信号に基づいて前記レーザダイオードを駆動するレーザダイオード駆動回路と、
光信号を受信する光受信回路と、
前記光受信回路によって受信された光信号の分散を補償する電気的分散補償器と、
第１の疑似ランダムパターン信号を生成する第１の乱数発生器と、
前記第１の疑似ランダムパターン信号と異なるパターンの第２の疑似ランダムパターン信号を生成する第２の乱数発生器と、
前記第１の乱数発生器の出力、又は前記第２の乱数発生器の出力を選択的に前記レーザダイオード駆動回路に入力するセレクタ回路と、
前記レーザダイオード駆動回路、前記電気的分散補償器、及び前記セレクタ回路を制御する制御回路と、
前記電気的分散補償器の出力から前記第１の疑似ランダムパターンを検出して、当該検出結果を前記制御回路に出力するパターン検出器とを備え、
前記制御回路は、前記第１の疑似ランダムパターンが前記レーザダイオード駆動回路に入力されるように前記セレクタ回路を切り替えた状態で、前記電気的分散補償器における補償係数を調整し、当該調整完了後に前記第２の疑似ランダムパターンが前記レーザダイオード駆動回路に入力されるように前記セレクタ回路を切り替え、前記パターン検出器の検出結果によって対向側の補償係数の調整完了を検出する、
ことを特徴とする光データリンク。
【請求項２】
光通信回線により接続された互いに対向する第１及び第２の光データリンクそれぞれに搭載される電気的分散補償器の補償係数を調整する方法であって、
前記第１及び第２の光データリンクによって第１の疑似ランダムパターンに基づいた光信号を対向側に送信した状態で、前記第１及び第２の光データリンクにおいて前記電気的分散補償器における補償係数の調整を実行するステップと、
前記第１及び第２の光データリンクのうちの前記補償係数の調整を完了した一方の光データリンクにおいて、前記第１の疑似ランダムパターンと異なるパターンの第２の疑似ランダムパターンに基づいた光信号を対向側に送信するステップと、
前記第１及び第２の光データリンクのうちの他方の光データリンクにおいて、前記第２の疑似ランダムパターンに基づいた光信号を検出し、且つ前記補償係数の調整を完了した場合に送信対象のデータ信号に基づいた光信号を対向側に送信するステップと、
を備える補償係数調整方法。
【請求項３】
前記電気的分散補償器の出力が前記第１の疑似ランダムパターンのデータパターンと同期していないことを判定することにより、前記第２の疑似ランダムパターンに基づいた光信号を検出する、
請求項２記載の補償係数調整方法。
【請求項４】
前記電気的分散補償器の出力が前記第２の疑似ランダムパターンのデータパターンと同期していることを判定することにより、前記第２の疑似ランダムパターンに基づいた光信号を検出する、
請求項２記載の補償係数調整方法。
【発明の詳細な説明】
【技術分野】
【０００１】
本発明は、光通信に用いられる光データリンク及び補償係数調整方法に関するものである。
【背景技術】
【０００２】
従来から、光通信において対向して用いられる光データリンク内には、光伝送路である光ファイバの帯域不足を解消するための電気的分散補償器（EDC：Electric Dispersion Compensator）が内蔵されている（例えば、特許文献１及び非特許文献１参照。）。このEDCは、伝送する光ファイバの持つ帯域特性と逆の特性を有するフィルタとして動作することで、伝送路によって歪んだ受信信号を補償する。また、この光データリンクでは、EDCの特性を決めるTap係数（補償係数）が、EDCによる補正後の信号と本来受信されるべき信号との誤差が最小になるように調整される。具体的には、Tap係数を変化させながら、伝送データの各ビットにEDCにより補正された信号の値とその信号を“０”又は“１”に判定した後の値との差を誤差として検出し、その誤差がゼロに収束するようにTap係数の調整を行う。
【特許文献１】米国特許出願公開２００６／００９３３７９号公報
【非特許文献１】P.Pepeljugoski, J.Schaub, J.Tierno, J.Kash, S.Gowda, B.Wilson, H.Wu,A.hajimiri, “ImprovedPerformance of 10 Gb/s Multimode Fiber Optic Links UsingEqualization”, Technical Digest of Optical Fiber Conference, 2003, ThG4.
【発明の開示】
【発明が解決しようとする課題】
【０００３】
上述したようなTap係数の調整の際にEDCの特性を伝送路に対して逆特性に設定するには、調整を行っている間に受信する光信号のビットパターンは伝送対象の信号が持つ周波数帯域全体にスペクトルを有するものであるのが望ましい。しかし、実際には対向する光データリンクを制御する通信装置によってビットパターンが生成されるため、必ずしも望ましいビットパターンが用いられていない。一般的には、通信装置の使用しているプロトコルで規定される特定のパターンが生成されるため、調整時に受信する光信号のビットパターンのスペクトルには偏りが生じる傾向にある。そのため、EDCのTap係数を調整する際に伝送されるビットパターンが限定されているため、調整が適切な特性になるように行われずに光データリンクにおいて伝送エラーが発生する場合があった。
【０００４】
そこで、本発明は、かかる課題に鑑みて為されたものであり、分散補償器の特性を適切に設定することによって伝送エラーを低減することが可能な光データリンク及び補償係数調整方法を提供することを目的とする。
【課題を解決するための手段】
【０００５】
上記課題を解決するため、本発明の光データリンクは、光信号を生成するレーザダイオードと、入力データ信号に基づいてレーザダイオードを駆動するレーザダイオード駆動回路と、光信号を受信する光受信回路と、光受信回路によって受信された光信号の分散を補償する電気的分散補償器と、第１の疑似ランダムパターン信号を生成する第１の乱数発生器と、第１の疑似ランダムパターン信号と異なるパターンの第２の疑似ランダムパターン信号を生成する第２の乱数発生器と、第１の乱数発生器の出力、又は第２の乱数発生器の出力を選択的にレーザダイオード駆動回路に入力するセレクタ回路と、レーザダイオード駆動回路、電気的分散補償器、及びセレクタ回路を制御する制御回路と、電気的分散補償器の出力から第１の疑似ランダムパターンを検出して、当該検出結果を制御回路に出力するパターン検出器とを備え、制御回路は、第１の疑似ランダムパターンがレーザダイオード駆動回路に入力されるようにセレクタ回路を切り替えた状態で、電気的分散補償器における補償係数を調整し、当該調整完了後に第２の疑似ランダムパターンがレーザダイオード駆動回路に入力されるようにセレクタ回路を切り替え、パターン検出器の検出結果によって対向側の補償係数の調整完了を検出する。
【０００６】
或いは、本発明の補償係数調整方法は、光通信回線により接続された互いに対向する第１及び第２の光データリンクそれぞれに搭載される電気的分散補償器の補償係数を調整する方法であって、第１及び第２の光データリンクによって第１の疑似ランダムパターンに基づいた光信号を対向側に送信した状態で、第１及び第２の光データリンクにおいて電気的分散補償器における補償係数の調整を実行するステップと、第１及び第２の光データリンクのうちの補償係数の調整を完了した一方の光データリンクにおいて、第１の疑似ランダムパターンと異なるパターンの第２の疑似ランダムパターンに基づいた光信号を対向側に送信するステップと、第１及び第２の光データリンクのうちの他方の光データリンクにおいて、第２の疑似ランダムパターンに基づいた光信号を検出し、且つ補償係数の調整を完了した場合に送信対象のデータ信号に基づいた光信号を対向側に送信するステップとを備える。
【０００７】
このような光データリンク及び補償係数調整方法によれば、電気的分散補償器の補償係数の調整開始時には、第１の疑似ランダムパターンに基づいた光信号が対向する光データリンクに対して送信され、補償係数の調整終了後に第２の疑似ランダムパターンに基づいた光信号が送信されると共に、対向する光データリンクから送信された光信号から第２の疑似ランダムパターンが検出されると対向する光データリンクの補償係数の調整完了が検出される。これにより、補償係数の調整時に受信される光信号のビットパターンが比較的広いスペクトル分布を有しているので、電気的分散補償器の特性を光伝送路の特性に適切に対応させることができる。また、対向側から受信された疑似ランダムパターンのデータパターンが変更されたことを検出して対向側の調整終了を判定することで、対向する２つの光データリンクにおける補償係数の調整を確実に実行しながら、伝送対象データの送信を調整終了後の適切なタイミングで開始させることができる。
【０００８】
電気的分散補償器の出力が第１の疑似ランダムパターンのデータパターンと同期していないことを判定することにより、第２の疑似ランダムパターンに基づいた光信号を検出することが好ましい。この場合、補償係数の調整開始のタイミングと対向側の調整終了のタイミングとを１種類のデータパターンで判断することができ、簡易な装置構成で補償係数の調整を実現することができる。
【０００９】
また、電気的分散補償器の出力が第２の疑似ランダムパターンのデータパターンと同期していることを判定することにより、第２の疑似ランダムパターンに基づいた光信号を検出することも好ましい。こうすれば、補償係数の調整開始時に対向側から送信されるデータパターンと異なるデータパターンで調整終了を検出するので、対向側の補償係数の調整終了を検出する際の信頼性が向上する。
【発明の効果】
【００１０】
本発明によれば、分散補償器の特性を適切に設定することによって伝送エラーを低減することができる。
【発明を実施するための最良の形態】
【００１１】
以下、図面を参照しつつ本発明に係る光データリンクの好適な実施形態について詳細に説明する。なお、図面の説明においては同一又は相当部分には同一符号を付し、重複する説明を省略する。
【００１２】
図１は、本発明の好適な一実施形態にかかる光データリンク１の構成を示すブロック図である。同図に示す光データリンク１は、光ファイバによって構成される光通信回線に接続され、対向する光データリンクとの間で光信号を送受信する通信装置である。なお、互いに対向する２つの光データリンクは同一構成を有している。この光データリンク１は、光ファイバから光信号Ｏｉｎを受信してその光信号Ｏｉｎを受信データ信号Ｄｉｎに変換して出力する受信部２と、送信データ信号Ｄｏｕｔを光信号Ｏｏｕｔに変換して光ファイバに出力する送信部３と、受信部２及び送信部３を制御する制御回路４とから構成されている。
【００１３】
受信部２は、光受信回路５と電気的分散補償回路（以下、EDCと呼ぶ）６とパターン１検出器とを備える。光受信回路５は、フォトダイオード（ＰＤ）やアバランシェフォトダイオード（ＡＰＤ）等の受光素子を含み、光信号Ｏｉｎを電気信号Ｓｉｎに変換してEDC６に入力する。
【００１４】
EDC６は、光通信回線における分散変化を付加的に補償するためのフィルタ回路であり、電気信号Ｓｉｎを１ビット分の周期ずつ順次遅らせて得られた複数の出力信号を加算し、それらの出力信号をそれぞれに対応するTap係数（補償係数）を用いて乗算した後に加算する。そして、EDC６は、得られた加算信号を受信データ信号Ｄｉｎとして出力する。このようなフィルタ回路としては、トランスバーサル型のデジタルフィルタが好適に用いられる。
【００１５】
なお、Tap係数は、デジタルフィルタとしてのEDC６の伝達関数、すなわち周波数特性を決定する係数であり、制御回路４によって可変制御される。すなわち、EDC６は、分散補償された受信データ信号Ｄｉｎの各ビット毎に、その信号を“０”又は“１”に判定した後の値との差を誤差信号Ｅｒｒとして生成し、その誤差信号Ｅｒｒを制御回路４に出力する。そして、EDC６は、制御回路４から入力されたTap係数制御信号ＣＴに基づいて、Tap係数を変更するように動作する。また、EDC６は、受信データ信号Ｄｉｎから各ビット列に同期するクロック信号ＣＬを抽出してパターン１検出器７に入力する。
【００１６】
パターン１検出器７は、受信データ信号Ｄｉｎ及びクロック信号ＣＬに基づいて、受信データ信号Ｄｉｎから所定のパターン周期及び所定のデータパターンを持つ第１の疑似ランダムパターン（以下、ＰＲＢＳと呼ぶ）を検出する。具体的には、パターン１検出器７は、受信データ信号Ｄｉｎから受信データビット列を読み取り、そのビット列が第１のＰＲＢＳに同期している否かを判定することにより第１のＰＲＢＳを検出して、検出結果を示す検出信号ＳＤを制御回路４に送出する。
【００１７】
送信部３は、パターン１発生器８とパターン２発生器９とセレクタ（セレクタ回路）１０とレーザダイオードドライバ回路（レーザダイオード駆動回路）１１とレーザダイオード１２とを備える。
【００１８】
パターン１発生器８及びパターン２発生器９は、それぞれ、所定のパターン周期及び所定のデータパターンを有する第１のＰＲＢＳ及び第２のＰＲＢＳを生成してセレクタ１０に入力する。ここで、第１のＰＲＢＳと第２のＰＲＢＳは、互いに異なるデータパターンを有する。このようなパターン発生器としては、８段以上の複数段のシフトレジスタがリング状に接続され、特定段のレジスタのデータ入力に、その段より前段の２つのレジスタの出力の排他的論理和（ExOR）を入力する機能を有するものが使用される。このようなパターン発生器は、シフトレジスタの段数を多くするとランダム性が増加し、かつ低域側のスペクトル成分の割合が増加する（ランダム性が増加するのと同義）。従って、EDC６のTap係数の調整時にＰＲＢＳ１からＰＲＢＳ２に切り替わったとしても対向側のEDCのTap係数をより適切に設定させるためには、パターン２発生器９の段数は、パターン１発生器８の段数よりも多くされて、第２のＰＲＢＳが第１のＰＲＢＳよりもランダム性の高いパターンに設定されることが好ましい。
【００１９】
図２には、パターン１発生器８又はパターン２発生器９として使用されるパターン発生器の生成するＰＲＢＳのスペクトル分布の一例を示す。図中、τは、ＰＲＢＳのパターン周期を、τＤは、受信データ信号Ｄｉｎのクロック周期を示している。このように、パターン１発生器８及びパターン２発生器９の生成するＰＲＢＳは、クロック周波数１／τＤを最大周波数成分として、そのクロック周波数１／τＤより低域側の周波数帯域Ｗの中にスペクトル分布を有する。すなわち、どのようなＰＲＢＳであっても伝送に必要な周波数全体にスペクトルが分布している。
【００２０】
セレクタ１０は、伝送対象の送信データ信号Ｄｏｕｔとパターン１発生器８からの第１のＰＲＢＳとパターン２発生器９からの第２のＰＲＢＳとが入力されて、制御回路４からの制御信号ＣＳに応じて、送信データ信号Ｄｏｕｔ、第１のＰＲＢＳ、及び第２のＰＲＢＳのいずれかを選択的にレーザダイオードドライバ回路１１に出力するように切り替える。レーザダイオードドライバ回路１１は、セレクタ１０から出力された信号に基づいて、レーザダイオード１２にその信号に応じた変調成分を有する駆動信号を供給することによって、レーザダイオード１２に送信データ信号Ｄｏｕｔ、第１のＰＲＢＳ、及び第２のＰＲＢＳのいずれかに応じた光信号Ｏｏｕｔを生成させる。このとき、レーザダイオードドライバ回路１１は、制御回路４の制御に応じてレーザダイオード１２から光信号Ｏｏｕｔが出力されるように、レーザダイオード１２を駆動する。
【００２１】
制御回路４は、光受信回路５における光信号Ｏｉｎの断状態から入力確定状態への遷移を検出した場合に（例えば、光入力消失信号LOS（Loss of Signal）がハイレベルからローレベルになったことを検出した場合に）、EDC６のTap係数の調整を開始する。このような状況は、電源投入時や伝送路である光ファイバを再接続した場合に起こりうる。この状態遷移は、EDC６の内部で検出され制御回路４に伝えられてもよいし、光受信回路５が直接検出して制御回路４に伝えられてもよい。
【００２２】
また、制御回路４は、パターン１検出器７から第１のＰＲＢＳを検出したことを示す検出信号ＳＤが伝えられた場合にも、EDC６のTap係数の調整を開始する。このような状況は、対向側の光データリンクがTap係数の調整を開始する際に光出力のデータパターンを第１のＰＲＢＳに切り替えたときに起こりうる。
【００２３】
制御回路４によるEDC６のTap係数の調整は、次のように行われる。すなわち、制御回路４は、EDC６から入力される誤差信号Ｅｒｒをモニタしながら、その誤差Ｅｒｒがゼロに近づくようにTap係数を調整する。このようなTap係数の調整制御は、EDC６にTap係数制御信号ＣＴを送出することによって行われる。また、制御回路４は、Tap係数の調整開始のタイミングで、レーザダイオードドライバ回路１１に第１のＰＲＢＳが入力されるようにセレクタ１０を切替制御する。
【００２４】
さらに、制御回路４は、誤差信号Ｅｒｒの値をモニタすることでTap係数の調整の完了を検出した場合には、レーザダイオードドライバ回路１１に第２のＰＲＢＳが入力されるようにセレクタ１０を切替制御する。このとき、対向側の光データリンクでは、データパターンが切り替わった後も受信する光信号は前述のように通信に必要な周波数帯域にスペクトルが分布しているので、Tap係数の調整を継続することができる。その一方で、対向側の光データリンクでは、検出信号ＳＤによって第１のＰＲＢＳが検出されなくなったことを判断でき、結果として光データリンク１のTap係数の調整完了を検出できる。
【００２５】
また、制御回路４は、EDC６のTap係数の調整の完了を検出し、且つ、検出信号ＳＤに基づいて受信データ信号Ｄｉｎのビット列が第１のＰＲＢＳに同期していないと判定される場合に、レーザダイオードドライバ回路１１に送信データ信号Ｄｏｕｔが入力されるようにセレクタ１０を切替制御する。これにより、光データリンク１により通常のデータ通信が開始される。ここでは、制御回路４は、検出信号ＳＤに基づいて対向側の光データリンクのTap係数の調整完了を検出している。
【００２６】
次に、上述した光データリンク１と同一構成の２つの光データリンク１Ａ，１Ｂが光通信回線に接続されて対向配置されている場合において、それぞれに搭載されるEDCのTap係数の調整方法について説明する。図３は、互いに対向する光データリンク１Ａ，１Ｂに共通したTap係数の調整方法を示すフローチャートである。
【００２７】
まず、光データリンク１Ａにおいて光入力消失信号LOSがハイレベルからローレベルに遷移したか否か、又は第１のＰＲＢＳに基づく光信号Ｏｉｎが受信されたか否かが検出される（ステップＳ１）。その結果、光入力消失信号LOSのレベルの変位、又は第１のＰＲＢＳの受信が検出された場合は（ステップＳ１；ＹＥＳ）、光データリンク１Ａの制御回路４によって、セレクタ１０が切替制御されることにより、光データリンク１Ｂ側に第１のＰＲＢＳに基づいた光信号Ｏｏｕｔが送信される（ステップＳ２）。ここまでの処理により、光データリンク１Ａ，１Ｂの双方の出力パターンが第１のＰＲＢＳに切り替えられる。
【００２８】
その後、光データリンク１Ａの制御回路４によって、EDC６から入力される誤差信号Ｅｒｒがモニタされることにより、EDC６のTap係数の調整が完了しているか否かが判定される（ステップＳ３）。判定の結果、Tap係数の調整が完了していない場合には（ステップＳ３；ＮＯ）、光データリンク１Ａの制御回路４によって、EDC６のTap係数の調整が実行される（ステップＳ４）。一方、Tap係数の調整が完了している場合には（ステップＳ３；ＹＥＳ）、光データリンク１Ａの制御回路４によって、セレクタ１０が切替制御されることにより、光データリンク１Ｂ側に第２のＰＲＢＳに基づいた光信号Ｏｏｕｔが送信される（ステップＳ５）。これにより、対向側の光データリンク１ＢにおけるTap係数の調整を、第２のＰＲＢＳの受信ビットパターンによって継続させることができる。
【００２９】
次に、光データリンク１Ａの制御回路４によって、EDC６から入力される誤差信号Ｅｒｒがモニタされることにより、EDC６のTap係数の調整が完了しており、且つ第２のＰＲＢＳに基づく光信号Ｏｉｎが受信されたか否かが検出される（ステップＳ６）。このとき、制御回路４は、光データリンク１ＢにおいてTap係数の調整が完了していれば光データリンク１Ｂ側から第２のＰＲＢＳのデータパターンが送信されることを利用して、光データリンク１Ａ，１Ｂの双方の調整完了を検出しようとしている。検出の結果、自装置側のTap係数の調整が完了していないか、又は受信データパターンが第１のＰＲＢＳに同期している場合には（ステップＳ６；ＮＯ）、処理がステップＳ３に戻される。一方、自装置側のTap係数の調整が完了しており、且つ受信データパターンが第１のＰＲＢＳに同期していない場合には（ステップＳ６；ＮＯ）、セレクタ１０が切替制御されることにより、光データリンク１Ｂ側に伝送対象の送信データ信号Ｄｏｕｔに基づいた光信号Ｏｏｕｔが送信される（ステップＳ７）。
【００３０】
以上説明した光データリンク１の作用効果について比較例と比較しながら説明する。図４は本発明の比較例である光データリンク９０１の構成を示すブロック図である。この光データリンク９０１は、光受信回路９０５及びEDC９０６によって構成される受信部９０２と、レーザダイオードドライバ回路９１１及びレーザダイオード９１２によって構成される送信部９０３と、制御回路９０４とを備える。制御回路９０４は、対向する光データリンクを制御する通信装置から光データリンク９０１に向けて送信される送信データパターンを受信し、その送信データパターンを利用してEDC９０６のTap係数の調整を行う。この送信データパターンはTap係数の調整に適したスペクトル分布を有しているとは限らないため、EDC９０６を光伝送路の分散を十分補償できない特性に設定してしまうことがある。その結果、調整を完了してデータ通信が開始されて様々なビットパターンが伝送された場合に、伝送エラーが発生してしまうおそれがある。
【００３１】
これに対して、光データリンク１によれば、EDC６のTap係数の調整開始時には、第１のＰＲＢＳに基づいた光信号Ｏｏｕｔが対向する光データリンクに対して送信され、Tap係数の調整終了後に第２のＰＲＢＳに基づいた光信号Ｏｏｕｔが送信されると共に、対向する光データリンクから送信された光信号Ｏｉｎから第２のＰＲＢＳが検出されると対向する光データリンクのTap係数の調整完了が検出される。これにより、Tap係数の調整時に受信される光信号Ｏｉｎのビットパターンが比較的広いスペクトル分布を有しているので、EDCの特性を光伝送路の特性に適切に対応させることができる。また、対向側から受信されたＰＲＢＳのデータパターンが変更されたことを検出して対向側の調整終了を判定することで、対向する２つの光データリンクにおけるTap係数の調整を確実に実行しながら、伝送対象データの送信を調整終了後の適切なタイミングで開始させることができる。
【００３２】
また、EDC６の出力が第１のＰＲＢＳのデータパターンと同期していないことを判定することにより、対向側からの第２のＰＲＢＳの受信を検出するので、Tap係数の調整開始のタイミングと対向側の調整終了のタイミングとを１種類のデータパターンで判断することができ、簡易な装置構成でTap係数の調整を実現することができる。
【００３３】
なお、本発明は、前述した実施形態に限定されるものではない。例えば、制御回路４によるTap係数の調整制御は常に実行されていてもよい。この場合は、制御回路４は、その動作の過程で有意なTap係数、すなわち、時間的に安定し、且つレベルが安定した係数が得られた時を光信号が確定した時として認識する。これにより、Tap係数の調整開始とほぼ同時に第１のＰＲＢＳに対する調整が終了することになる。
【００３４】
また、制御回路４は、EDC６による補償性能が十分でない場合に、出力パターンを第１のＰＲＢＳに切り替えるように動作してもよい。このような状態は、EDCのTap係数の調整が必要になったときに生じ、EDC６から出力される受信データ信号Ｄｉｎ中に、通信規格で定まる所定パターンのプロトコル信号が含まれていないか否かにより判定される。EDC６の出力は後段のホスト側に伝えられてデータ処理されるが、この状態はそのデータ処理の過程で復元データに異常状態、すなわち、EDC６による補償が不十分であることが発見されたときに相当する。制御回路４は、ホスト側からTap係数の再調整指示信号を受けてTap係数の調整処理を開始する。
【００３５】
また、光データリンク１は、パターン１検出器７に加えて、受信データパターンから第２のＰＲＢＳを検出するパターン２検出器を備えていてもよい。この場合、パターン２検出器がEDC６から出力される受信データ信号Ｄｉｎから受信データビット列を読み取り、そのビット列が第２のＰＲＢＳに同期している否かを判定し、制御回路４がパターン２検出器からの検出信号に基づいて、対向する光データリンクからの第２のＰＲＢＳに基づいた光信号Ｏｉｎを検出する。これにより、Tap係数の調整開始時に対向側から送信されるデータパターンと異なるデータパターンと同期を取ることで調整終了を検出するので、対向側のTap係数の調整終了を検出する際の信頼性が向上する。
【図面の簡単な説明】
【００３６】
【図１】本発明の好適な一実施形態にかかる光データリンクの構成を示すブロック図である。
【図２】図１のパターン１発生器及びパターン２発生器の生成するＰＲＢＳのスペクトル分布の一例を示すグラフである。
【図３】本発明にかかるTap係数の調整方法を示すフローチャートである。
【図４】本発明の比較例である光データリンクの構成を示すブロック図である。
【符号の説明】
【００３７】
１…光データリンク、４…制御回路、５…光受信回路、６…電気的分散補償器（EDC）、７…パターン１検出器、８…パターン１発生器、９…パターン２発生器、１０…セレクタ、１１…レーザダイオードドライバ回路、１２…レーザダイオード、Ｄｉｎ…受信データ信号、Ｄｏｕｔ…送信データ信号、Ｏｉｎ，Ｏｏｕｔ…光信号。
【図１】
2008294752.tif 000003
【図２】
2008294752.tif 000004
【図３】
2008294752.tif 000005
【図４】
2008294752.tif 000006